(57)【要約】      （修正有）【課題】無線通信システム全体の通信容量の低下を防止することが可能とする。【解決手段】無線基地局１Ａは、当該無線基地局１Ａが無線端末２Ｂから無線基地局１Ｂへ第２上りリンクを用いて送信される無線信号によって受ける干渉の電力を測定する。無線基地局１Ａは、測定した干渉電力の値又は割り当てＲＢ情報に基づいて、当該無線基地局１Ａが無線端末２Ｂから無線基地局１Ｂへ第２上りリンクを用いて送信される無線信号によって受ける干渉の周期性を分析する。無線基地局１Ａは、周期性の分析結果に基づいて、時間方向において周期的に発生する所定値以上の電力の干渉以外の干渉を示すＯＩを生成し、無線基地局１Ｂへ送信する。【選択図】図１
2012231267.tif 000002
【特許請求の範囲】
【請求項１】
他の無線基地局に接続する無線端末から受ける干渉を、前記他の無線基地局に制御させるための処理を行う無線基地局であって、
前記無線端末から受ける干渉に関する情報である干渉情報を前記他の無線基地局へ送信する送信部を備え、
前記干渉情報は、前記無線端末から周期的に受けると見なされる干渉以外の干渉を示す情報である無線基地局。
【請求項２】
前記無線端末から周期的に受けると見なされる干渉は、前記無線端末から周期的に受け、且つ、大きさが所定値以上となる干渉である請求項１に記載の無線基地局。
【請求項３】
前記無線端末から周期的に受けると見なされる干渉は、前記無線端末からの信号の受信電力に基づいて判別される請求項１に記載の無線基地局。
【請求項４】
前記無線端末から周期的に受けると見なされる干渉は、前記他の無線基地局からの前記無線端末に対する無線リソースの割り当てに関する通知に基づいて判別される請求項１に記載の無線基地局。
【請求項５】
前記無線端末から周期的に受けると見なされる干渉は、前記他の無線基地局から受ける干渉の周期性の分析結果に基づいて判別される請求項１に記載の無線基地局。
【請求項６】
前記送信部は、前記無線端末から周期的に受けると見なされる干渉に基づいて、前記干渉情報の送信を制御する請求項１に記載の無線基地局。
【請求項７】
前記送信部は、前記無線基地局による無線通信の負荷が所定値以下である場合に、前記干渉情報の送信を制御する請求項１に記載の無線基地局。
【請求項８】
他の無線基地局に接続する無線端末から受ける干渉を、前記他の無線基地局に制御させるための処理を行う無線基地局における通信制御方法であって、
前記無線端末から受ける干渉に関する情報である干渉情報を前記他の無線基地局へ送信するステップを含み、
前記干渉情報は、前記無線端末から周期的に受けると見なされる干渉以外の干渉を示す情報である通信制御方法。
【発明の詳細な説明】
【技術分野】
【０００１】
本発明は、他の無線基地局に接続する無線端末から受ける干渉を、前記他の無線基地局に制御させるための処理を行う無線基地局、及び、当該無線基地局における通信制御方法に関する。
【背景技術】
【０００２】
無線通信システムにおいて、無線端末から接続先の無線基地局に対する上り方向の無線通信が行われる場合、無線基地局は、周辺の他の無線基地局に接続する無線端末から受ける干渉を制御する（例えば、特許文献１参照）。
【０００３】
３ＧＰＰの規格であるＬＴＥ（Long Term Evolution）においても、同様である。ＬＴＥでは、無線基地局間で、ＯＩ（Overload Indicator）と称される干渉状況に関する情報をやりとりすることによって、１の無線基地局が、周辺の他の無線基地局に接続する無線端末から受ける干渉（周辺セルからの上り方向の干渉）を制御することが想定されている。
【０００４】
具体的には、１の無線基地局は、リソースブロック（ＲＢ）と称される周波数方向の無線リソース単位で、周辺セルからの上り方向の干渉電力を測定し、当該干渉電力に応じて、「干渉が小さい」、「干渉が大きい」、「干渉が非常に大きい」といった３値の情報をＯＩとして周辺の他の無線基地局へ送信する。周辺の他の無線基地局は、受信した３値情報を用いて、接続している無線端末における送信電力（上り方向の送信電力）の制御を行うことができる。例えば、周辺の他の無線基地局は、干渉電力が「非常に大きい」との情報を受信した場合には、上り方向の送信電力を下げるように、無線端末の制御を行う。これにより、１の無線基地局において、上り方向の干渉電力が低減される。
【先行技術文献】
【特許文献】
【０００５】
【特許文献１】特開平５−３００２２号公報
【発明の概要】
【発明が解決しようとする課題】
【０００６】
無線基地局は、無線端末に対してリソースブロックを割り当てる際、時間軸上において周期的に同一の周波数帯のリソースブロックを繰り返して割り当てることができる。このようなリソースブロックの割り当て手法は、セミパーシステントスケジューリングと称される。
【０００７】
周辺の他の無線基地局がセミパーシステントスケジューリングによって無線端末に対してリソースブロックを割り当て、且つ、１の無線基地局が当該無線端末から受ける干渉電力が大きい場合、１の無線基地局は、セミパーシステントスケジューリングにより割り当てが予定されているサブフレームにおいて、当該リソースブロックを避けて、自局に接続する無線端末に対してリソースブロックを割り当てればよい。この場合、周辺の他の無線基地局がセミパーシステントスケジューリングによって割り当てる上りのリソースブロックについては、「干渉が大きい」又は「干渉が非常に大きい」ことを示すＯＩは不要である。
【０００８】
しかしながら、従来、１の無線基地局は、周辺の他の無線基地局がセミパーシステントスケジューリングによって割り当てる上りのリソースブロックと、他のリソースブロックとを判別できない。このため、１の無線基地局は、周辺の他の無線基地局がセミパーシステントスケジューリングによって割り当てる上りのリソースブロックについても、「干渉が大きい」又は「干渉が非常に大きい」ことを示すＯＩを、周辺の他の無線基地局へ送信してしまう。一方、周辺の他の無線基地局は、１の無線基地局が割り当てを避けることで干渉を受けずに済むリソースブロックをも、上り方向の送信電力を下げてしまう。その結果、無線通信システム全体として、通信容量の低下を招く。
【０００９】
そこで、本発明は、無線通信システム全体の通信容量の低下を防止することが可能な無線基地局及び通信制御方法を提供することを目的とする。
【課題を解決するための手段】
【００１０】
上述した課題を解決するために、本発明は以下のような特徴を有している。まず、本発明の特徴は、他の無線基地局（無線基地局１Ｂ）に接続する無線端末（無線端末２Ｂ−１、無線端末２Ｂ−２、無線端末２Ｂ−３）から受ける干渉を、前記他の無線基地局に制御させるための処理を行う無線基地局（無線基地局１Ａ）であって、前記無線端末から受ける干渉に関する情報である干渉情報（ＯＩ）を前記他の無線基地局へ送信する送信部（送信処理部１５６）を備え、前記干渉情報は、前記無線端末から周期的に受けると見なされる干渉以外の干渉を示す情報であることを要旨とする。
【００１１】
このような無線基地局は、他の無線基地局に接続する無線端末から周期的に受けると見なされる干渉以外の干渉を示す干渉情報を、他の無線基地局へ送信する。従って、他の無線基地局は、周期的に割り当てている無線リソースについて、干渉低減のための送信電力の低下等の制御を行う必要がない。従って、無線通信システム全体の通信容量の低下を防止できる。
【００１２】
本発明の特徴は、前記無線端末から周期的に受けると見なされる干渉は、前記無線端末から周期的に受け、且つ、大きさが所定値以上となる干渉であることを要旨とする。
【００１３】
本発明の特徴は、前記無線端末から周期的に受けると見なされる干渉は、前記無線端末からの信号の受信電力に基づいて判別されることを要旨とする。
【００１４】
本発明の特徴は、前記無線端末から周期的に受けると見なされる干渉は、前記他の無線基地局からの前記無線端末に対する無線リソースの割り当てに関する通知に基づいて判別されることを要旨とする。
【００１５】
本発明の特徴は、前記無線端末から周期的に受けると見なされる干渉は、前記他の無線基地局から受ける干渉の周期性の分析結果に基づいて判別されることを要旨とする。
【００１６】
本発明の特徴は、前記送信部は、前記無線端末から周期的に受けると見なされる干渉に基づいて、前記干渉情報の送信を制御することを要旨とする。
【００１７】
本発明の特徴は、前記送信部は、前記無線基地局による無線通信の負荷が所定値以下である場合に、前記干渉情報の送信を制御することを要旨とする。
【００１８】
本発明の特徴は、他の無線基地局に接続する無線端末から受ける干渉を、前記他の無線基地局に制御させるための処理を行う無線基地局における通信制御方法であって、前記無線端末から受ける干渉に関する情報である干渉情報を前記他の無線基地局へ送信するステップを含み、前記干渉情報は、前記無線端末から周期的に受けると見なされる干渉以外の干渉を示す情報であることを要旨とする。
【発明の効果】
【００１９】
本発明によれば、無線通信システム全体の通信容量の低下を防止することが可能となる。
【図面の簡単な説明】
【００２０】
【図１】本発明の実施形態に係る無線通信システムの全体概略構成図である。
【図２】本発明の実施形態に係る無線基地局の構成図である。
【図３】本発明の実施形態に係る無線基地局の構成図である。
【図４】本発明の実施形態に係る無線通信システムの第１の動作を示すシーケンス図である。
【図５】本発明の実施形態に係る無線通信システムの第２の動作を示すシーケンス図である。
【図６】本発明の実施形態に係る無線通信システムの第３の動作を示すシーケンス図である。
【図７】本発明の実施形態に係る無線通信システムの第４の動作を示すシーケンス図である。
【発明を実施するための形態】
【００２１】
次に、図面を参照して、本発明の実施形態を説明する。具体的には、（１）無線通信システムの構成、（２）無線通信システムの動作、（３）作用・効果、（４）その他の実施形態について説明する。以下の実施形態における図面の記載において、同一又は類似の部分には同一又は類似の符号を付している。
【００２２】
（１）無線通信システムの構成
（１．１）無線通信システムの全体概略構成
図１は、本発明の実施形態に係る無線通信システム１０の全体概略構成図である。無線通信システム１０は、例えば、第３．９世代（３．９Ｇ）携帯電話システムであるLTE Release9や、第４世代（４Ｇ）携帯電話システムとして位置づけられているLTE-Advancedに基づく構成を有する。
【００２３】
図１に示すように、無線通信システム１０は、セル３Ａを形成する無線基地局１Ａと、セル３Ｂを形成する無線基地局１Ｂとを有する。セル３Ａ及び３Ｂの半径は、例えば数百［ｍ］程度である。無線基地局１Ａは、セル３Ａ内に存在する無線端末２Ａ−１、無線端末２Ａ−２及び無線端末２Ａ−３（以下、無線端末２Ａ−１、無線端末２Ａ−２及び無線端末２Ａ−３をまとめて、適宜「無線端末２Ａ」と称する）を接続している。無線基地局１Ｂは、セル３Ｂ内に存在する無線端末２Ｂ−１、無線端末２Ｂ−２及び無線端末２Ｂ−３（以下、無線端末２Ｂ−１、無線端末２Ｂ−２及び無線端末２Ｂ−３をまとめて、適宜「無線端末２Ｂ」と称する）を接続している。
【００２４】
無線基地局１Ａ及び無線基地局１Ｂは、通信事業者がセル間干渉を考慮した置局設計に基づく場所に設置される。
【００２５】
無線基地局１Ａと無線基地局１Ｂとの間は、図示しない専用線等によって接続され、トランスポート層の論理的な伝送路であるＸ２インタフェースが確立されている。
【００２６】
無線基地局１Ａは、無線端末２Ａに対して、周波数方向の最小割り当て単位の無線リソースである上り方向及び下り方向のリソースブロック（ＲＢ：Resource Block）を１又は複数割り当て、当該無線端末２Ａとの間で無線通信を行う。同様に、無線基地局１Ｂは、無線端末２Ｂに対して、上り方向及び下り方向のリソースブロックを１又は複数割り当て、当該無線端末２Ｂとの間で無線通信を行う。
【００２７】
無線基地局１Ａと無線端末２Ａとが接続して無線通信を行っている場合における、当該無線通信に用いられる上りリンク（無線端末２Ａから無線基地局１Ａに向かうリンクであり、以下、「第１上りリンク」と称する）において用いられているリソースブロックの周波数帯域と、無線基地局１Ｂと無線端末２Ｂとが接続して無線通信を行っている場合における、当該無線通信に用いられる上りリンク（無線端末２Ｂから無線基地局１Ｂに向かうリンクであり、以下、「第２上りリンク」と称する）において用いられているリソースブロックの周波数帯域とが同一である場合、無線端末２Ｂから無線基地局１Ｂへ第２上りリンクを用いて送信される無線信号によって、無線端末２Ａと無線通信を行っている無線基地局１Ａは干渉を受けることになる。
【００２８】
本実施形態では、無線基地局１Ａが無線端末２Ｂから干渉を受ける場合に、無線基地局１Ａは、無線基地局１Ｂに対して、無線端末２Ｂの送信電力の制御を要求し、無線基地局１Ｂは、当該要求に応じて、無線端末２Ｂの送信電力を制御することによって、干渉を低減させる。
【００２９】
（１．２）無線基地局１Ａの構成
図２は、無線基地局１Ａの構成を示すブロック図である。図２に示すように、無線基地局１Ａは、制御部１０２、記憶部１０３、有線通信部１０４、無線通信部１０５及びアンテナ１０７を有する。
【００３０】
制御部１０２は、例えばＣＰＵによって構成され、無線基地局１Ａが具備する各種機能を制御する。記憶部１０３は、例えばメモリによって構成され、無線基地局１Ａにおける制御などに用いられる各種情報を記憶する。
【００３１】
有線通信部１０４は、無線基地局１Ｂとの間で、データの送信及び受信を行う。無線通信部１０５は、例えば無線周波数（ＲＦ）回路やベースバンド（ＢＢ）回路等を用いて構成される。無線通信部１０５は、アンテナ１０７を介して、無線端末２Ａとの間で、無線信号の送信及び受信を行う。また、無線通信部１０５は、送信信号の符号化及び変調と、受信信号の復調及び復号とを行う。更には、無線通信部１０５は、受信信号の復調及び復号によって得られた受信データを制御部１０２へ出力する。
【００３２】
無線通信部１０５は、干渉電力測定部１５０を有する。制御部１０２は、通信負荷測定部１５２、干渉情報生成部１５４及び送信処理部１５６を有する。
【００３３】
無線通信部１０５内の干渉電力測定部１５０は、無線基地局１Ａが無線端末２Ｂから無線基地局１Ｂへ第２上りリンクを用いて送信される無線信号によって受ける干渉の電力を測定する。具体的には、干渉電力測定部１５０は、無線端末２Ｂから無線基地局１Ｂへ第２上りリンクを用いて送信される無線信号の成分についての電力を、リソースブロック毎に測定する。ここで、干渉電力測定部１５０は、時間方向の無線リソースの割り当て単位であるサブフレームの時間の周期で、干渉電力を測定する。
【００３４】
また、干渉電力測定部１５０による干渉電力の測定に加えて、有線通信部１０４は、無線基地局１Ｂから送信される、割り当てリソースブロック（ＲＢ）情報を受信する。無線基地局１Ｂがセミパーシステントスケジューリングにより無線端末２Ｂに上り方向のリソースブロックを割り当てる場合には、当該無線基地局１Ｂは、当該セミパーシステントスケジューリングの開始時に、割り当てＲＢ情報を送信する。割り当てＲＢ情報は、無線基地局１Ｂがセミパーシステントスケジューリングにより無線端末２Ｂに割り当てた上り方向のリソースブロックを識別可能な情報と、割り当ての時間周期を示す情報を含む。上り方向のリソースブロックを識別可能な情報は、例えば、無線基地局１Ｂが無線端末２Ｂに割り当てた上り方向のリソースブロックの周波数帯域と、当該上り方向のリソースブロックに対応するサブフレームの識別情報とを含む。有線通信部１０４は、割り当てＲＢ情報を出力する。また、有線通信部１０４は、無線基地局１Ｂがセミパーシステントスケジューリングによる上り方向のリソースブロックの割り当てを解除した場合には、当該無線基地局１Ｂから送信される、解除が行われたことを示す情報（解除情報）を受信する。
【００３５】
制御部１０２内の通信負荷測定部１５２は、無線基地局１Ａにおける処理可能な最大のトラフィック量に対する、実際のトラフィック量の比率（トラフィック量比率）を算出する。トラフィック量比率は、無線基地局１Ａにおける無線通信の負荷の値である。具体的には、通信負荷測定部１５２は、無線通信部１０５から制御部１０２へ出力される受信データの量を測定する。更に、通信負荷測定部１５２は、測定した受信データ量を、予め定められている処理可能な最大の上り方向のトラフィック量で除算することにより、トラフィック量比率を算出する。処理可能な最大の上り方向のトラフィック量は、記憶部１０３に記憶されている。更に、通信負荷測定部１５２は、算出したトラフィック量比率を、無線基地局１Ａと無線端末２Ａとの間の無線通信において要求されるスループットや、要求されるデータ量が大きいほど、大きくなるように補正してもよい。
【００３６】
次に、干渉情報生成部１５４は、無線基地局１Ａにおける無線通信の負荷値（トラフィック量比率）が所定値以下であるか否かを判定する。所定値は、記憶部１０３に記憶されている。
【００３７】
無線基地局１Ａにおける無線通信の負荷値が所定値以下である場合、干渉情報生成部１５４及び送信処理部１５６は、以下の第１の処理又は第２の処理を行う。
【００３８】
（第１の処理）
干渉情報生成部１５４は、干渉電力測定部１５０により測定された干渉電力の値に基づいて、無線基地局１Ａが無線端末２Ｂから無線基地局１Ｂへ第２上りリンクを用いて送信される無線信号によって受ける干渉の時間方向の周期性を分析する。
【００３９】
具体的には、干渉情報生成部１５４は、上り方向のリソースブロック毎に、干渉電力の値の時間遷移を認識する。次に、干渉情報生成部１５４は、上り方向のリソースブロック毎に、所定値以上の干渉電力が周期的に生じているか否かを判定する。例えば、所定値以上の干渉電力が、所定の時間間隔で連続して発生している場合には、干渉情報生成部１５４は、所定値以上の干渉電力が周期的に生じていると判断する。一方、所定値以上の干渉電力が、所定の時間間隔で連続して発生していない場合には、干渉情報生成部１５４は、所定値以上の干渉電力が周期的に生じていないと判断する。ここで、所定値は、記憶部１０３に記憶されている。
【００４０】
（第２の処理）
干渉情報生成部１５４は、無線基地局１Ｂからの割り当てＲＢ情報に基づいて、無線基地局１Ａが無線端末２Ｂから無線基地局１Ｂへ第２上りリンクを用いて送信される無線信号によって受ける干渉の時間方向の周期性を分析する。
【００４１】
具体的には、干渉情報生成部１５４は、上り方向のリソースブロック毎に、当該上り方向のリソースブロックの割り当ての時間遷移を認識する。次に、干渉情報生成部１５４は、上り方向のリソースブロック毎に、当該上り方向のリソースブロックが周期的に割り当てられているか否かを判定する。例えば、所定の周波数帯域に対応する上りリソースブロックが、所定の時間間隔で連続して割り当てられている場合には、干渉情報生成部１５４は、当該上り方向のリソースブロックが周期的に割り当てられていると判断する。干渉情報生成部１５４は、周期的に割り当てられている上り方向のリソースブロックの各サブフレームについて、測定した干渉電力が所定値以上であるか否かを判定する。周期的に割り当てられている上り方向のリソースブロックの各サブフレームについて、測定した干渉電力が所定値以上である場合には、干渉情報生成部１５４は、所定値以上の干渉電力が周期的に発生していると判断する。一方、干渉情報生成部１５４は、周期的に割り当てられていない上りリソースブロックについては、所定値以上の干渉電力が周期的に発生していないと判断する。また、周期的に割り当てられている上り方向のリソースブロックの各サブフレームの干渉電力のうち、所定値未満の干渉電力が存在する場合には、干渉情報生成部１５４は、周期的に割り当てられている上りリソースブロックについて、割り当ては周期的であるものの、所定値以上の干渉電力は周期的に発生していないと判断する。
【００４２】
また、無線基地局１Ｂからの解除情報が受信された場合には、干渉情報生成部１５４は、無線基地局１Ｂセミパーシステントスケジューリングが終了したと判断する。換言すれば、干渉情報生成部１５４は、所定値以上の干渉電力が周期的に発生しなくなると判断する。
【００４３】
第１の処理又は第２の処理の後、干渉情報生成部１５４及び送信処理部１５６は、以下の第３の処理又は第４の処理を行う。
【００４４】
（第３の処理）
干渉情報生成部１５４は、干渉の周期性の分析結果に基づいて、時間方向において周期的に発生する所定値以上の電力の干渉以外の干渉が存在することを示す干渉情報であるＯＩ（Overload Indicator）を生成する。具体的には、以下の第１の手法及び第２の手法の何れかが行われる。
【００４５】
第１の手法では、干渉情報生成部１５４は、干渉の周期性の分析結果に基づいて、時間方向において周期的に所定値以上の干渉電力が発生すると判断した上り方向のリソースブロックについては、時間方向において周期的に所定値以上の干渉電力が発生するタイミングのサブフレームのＯＩを、干渉が小さいことを示す「０」に設定し、他のタイミングのサブフレームのＯＩを、干渉電力に応じた値に設定する。
【００４６】
また、干渉情報生成部１５４は、時間方向において周期的に所定値以上の干渉電力が発生しないと判断した上り方向のリソースブロックについては、各サブフレームのＯＩを、干渉電力に応じた値に設定する。
【００４７】
第２の手法では、干渉情報生成部１５４は、各上り方向のリソースブロック毎に、複数のサブフレーム単位で干渉電力の平均値を算出する。この際、干渉情報生成部１５４は、周期的な所定値以上の干渉電力が発生したサブフレームについて、干渉電力を０に置き換えた上で平均値を算出する。次に、干渉情報生成部１５４は、複数のサブフレーム単位に対応するＯＩを、干渉電力の平均値に応じた値に設定する。
【００４８】
制御部１０２内の送信処理部１５６は、生成したＯＩを、有線通信部１０４を介して、無線基地局１Ｂへ送信する。
【００４９】
（第４の処理）
上述した第３の処理と同様、干渉情報生成部１５４は、第１の手法及び第２の手法の何れかにより、ＯＩを生成する。すなわち、第１の手法では、干渉情報生成部１５４は、干渉の周期性の分析結果に基づいて、時間方向において周期的に所定値以上の干渉電力が発生すると判断した上り方向のリソースブロックについては、時間方向において周期的に所定値以上の干渉電力が発生するタイミングのサブフレームのＯＩを、干渉が小さいことを示す「０」に設定し、他のタイミングのサブフレームのＯＩを、干渉電力に応じた値に設定する。
【００５０】
また、干渉情報生成部１５４は、時間方向において周期的に所定値以上の干渉電力が発生しないと判断した上り方向のリソースブロックについては、各サブフレームのＯＩを、干渉電力に応じた値に設定する。
【００５１】
第２の手法では、干渉情報生成部１５４は、各上り方向のリソースブロック毎に、複数のサブフレーム単位で干渉電力の平均値を算出する。この際、干渉情報生成部１５４は、周期的な所定値以上の干渉電力が発生したサブフレームについて、当該干渉電力を平均値の算出には用いないようにする。次に、干渉情報生成部１５４は、複数のサブフレーム単位に対応するＯＩを、干渉電力の平均値に応じた値に設定する。
【００５２】
次に、制御部１０２内の送信処理部１５６は、ＯＩを、有線通信部１０４を介して、無線基地局１Ｂへ送信する。但し、送信処理部１５６は、全てのＯＩが「０」である場合には、送信処理部１５６は、ＯＩを送信しない。
【００５３】
上述した第３の処理又は第４の処理において、ＯＩが送信された後、制御部１０２は、無線端末２Ａに対するリソースブロックの割り当て処理を行う。この際、制御部１０２は、周期的に所定値以上の干渉電力が発生していると判断された上り方向のリソースブロックについては、周期的な所定値以上の干渉電力が発生するタイミングにおいて、無線端末２Ａに対する割り当ての対象から除外する。制御部１０２は、無線通信部１０５及びアンテナ１０７を介して、無線端末２Ａに対して、割り当てたリソースブロックの情報を送信する。
【００５４】
（１．３）無線基地局１Ｂの構成
図３は、無線基地局１Ｂの構成を示すブロック図である。図３に示すように、無線基地局１Ｂは、制御部１１２、記憶部１１３、有線通信部１１４、無線通信部１１５及びアンテナ１１７を有する。
【００５５】
制御部１１２は、例えばＣＰＵによって構成され、無線基地局１Ｂが具備する各種機能を制御する。記憶部１１３は、例えばメモリによって構成され、無線基地局１Ｂにおける制御などに用いられる各種情報を記憶する。
【００５６】
有線通信部１１４は、無線基地局１Ａとの間で、データの送信及び受信を行う。無線通信部１１５は、例えば無線周波数（ＲＦ）回路やベースバンド（ＢＢ）回路等を用いて構成される。無線通信部１１５は、アンテナ１１７を介して、無線端末２Ｂとの間で、無線信号の送信及び受信を行う。また、無線通信部１１５は、送信信号の符号化及び変調と、受信信号の復調及び復号とを行う。更には、無線通信部１１５は、受信信号の復調及び復号によって得られた受信データを制御部１１２へ出力する。
【００５７】
制御部１１２は、送信処理部１６０、受信処理部１６２及び無線端末送信電力制御部１６４を有する。
【００５８】
制御部１１２内の送信処理部１６０は、有線通信部１１４を介して、無線基地局１Ａに対して、割り当てＲＢ情報を送信する。具体的には、無線基地局１Ｂが、セミパーシステントスケジューリングにより、無線端末２Ｂに対して上り方向のリソースブロックを割り当てる場合、送信処理部１６０は、当該セミパーシステントスケジューリングの開始時に、割り当てＲＢ情報を送信する。また、送信処理部１６０は、無線基地局１Ｂがセミパーシステントスケジューリングによる上り方向のリソースブロックの割り当てを解除した場合には、解除情報を送信する。例えば、割り当てＲＢ情報は、記憶部１１３に記憶されている。
【００５９】
制御部１１２内の受信処理部１６２は、無線基地局１ＡからのＯＩを受信する。
【００６０】
制御部１１２内の無線端末送信電力制御部１６４は、受信処理部１６２によって受信されたＯＩに基づいて、無線端末２Ｂの送信電力を制御する。具体的には、無線端末送信電力制御部１６４は、受信処理部１６２によって受信されたＯＩが「１」又は「２」である場合には、当該ＯＩに対応する上り方向のリソースブロックについて、送信電力の低下要求を生成する。
【００６１】
更に、無線端末送信電力制御部１６４は、生成した送信電力の低下要求を、無線通信部１１５及びアンテナ１１７を介して、対応する上り方向のリソースブロックが割り当てられている無線端末２Ｂへ送信する。無線端末２Ｂは、送信電力の低下要求を受信すると、当該送信電力の低下要求に対応する上り方向のリソースブロックについて、送信電力を低下させる。
【００６２】
（２）無線通信システムの動作
図４は、無線通信システム１０の第１の動作を示すフローチャートである。図４に示す動作は、上述した第１の処理及び第３の処理が行われる場合に対応する。
【００６３】
ステップＳ１０１において、無線基地局１Ａは、当該無線基地局１Ａが無線端末２Ｂから無線基地局１Ｂへ第２上りリンクを用いて送信される無線信号によって受ける干渉の電力を測定する。
【００６４】
ステップＳ１０２において、無線基地局１Ａは、当該無線基地局１Ａにおける無線通信の負荷値が所定値以下であるか否かを判定する。
【００６５】
無線基地局１Ａにおける無線通信の負荷値が所定値を超える場合には、一連の動作が終了する。この場合、無線基地局１Ａは、干渉電力値に基づいて、上り方向のリソースブロック毎にＯＩを生成し、無線基地局１Ｂへ送信する。無線基地局１Ｂは、ＯＩを受信すると、当該ＯＩに基づいて、無線端末２Ｂに割り当てている上り方向のリソースブロックの送信電力を制御する。
【００６６】
一方、無線基地局１Ａにおける無線通信の負荷値が所定値以下である場合、ステップＳ１０３において、無線基地局１Ａは、干渉電力値に基づいて、無線基地局１Ａが無線端末２Ｂから無線基地局１Ｂへ第２上りリンクを用いて送信される無線信号によって受ける干渉の時間方向の周期性を分析する。
【００６７】
ステップＳ１０４において、無線基地局１Ａは、干渉の周期性の分析結果に基づいて、時間方向において周期的に発生する所定値以上の電力の干渉以外の干渉を示すＯＩを生成する。
【００６８】
ステップＳ１０５において、無線基地局１Ａは、ＯＩを送信する。無線基地局１Ｂは、ＯＩを受信する。
【００６９】
ステップＳ１０６において、無線基地局１Ｂは、ＯＩに基づいて、無線端末２Ｂに割り当てている上り方向のリソースブロックに対応する送信電力を制御する。
【００７０】
図５は、無線通信システム１０の第２の動作を示すフローチャートである。図５に示す動作は、上述した第１の処理及び第４の処理が行われる場合に対応する。
【００７１】
ステップＳ１５１乃至ステップＳ１５３の動作は、図４のステップＳ１０１乃至ステップＳ１０３の動作と同様であるので、説明は省略する。
【００７２】
ステップＳ１５４において、無線基地局１Ａは、上り方向のリソースブロック毎に、ＯＩを生成する。
【００７３】
ステップＳ１５５において、無線基地局１Ａは、全てのＯＩが「０」であるか否かを判定する。全てのＯＩが「０」である場合には、一連の動作が終了する。
【００７４】
一方、「０」以外のＯＩが存在する場合には、ステップＳ１５６及びステップＳ１５７の動作が行われる。ステップＳ１５６及びステップＳ１５７の動作については、図４のステップＳ１０５及びステップＳ１０６の動作と同様であるので、説明は省略する。
【００７５】
図６は、無線通信システム１０の第３の動作を示すフローチャートである。図４に示す動作は、上述した第２の処理及び第３の処理が行われる場合に対応する。
【００７６】
ステップＳ２００において、無線基地局１Ａは、当該無線基地局１Ａが無線端末２Ｂから無線基地局１Ｂへ第２上りリンクを用いて送信される無線信号によって受ける干渉の電力を測定する。
【００７７】
ステップＳ２０１において、無線基地局１Ｂは、無線端末２Ｂに割り当てている上り方向のリソースブロックを示す割り当てＲＢ情報を送信する。無線基地局１Ａは、割り当てＲＢ情報を受信する。
【００７８】
ステップＳ２０２において、無線基地局１Ａは、当該無線基地局１Ａにおける無線通信の負荷値が所定値以下であるか否かを判定する。
【００７９】
無線基地局１Ａにおける無線通信の負荷値が所定値を超える場合には、一連の動作が終了する。この場合、無線基地局１Ａは、干渉電力値に基づいて、上り方向のリソースブロック毎にＯＩを生成し、無線基地局１Ｂへ送信する。無線基地局１Ｂは、ＯＩを受信すると、当該ＯＩに基づいて、無線端末２Ｂに割り当てている上り方向のリソースブロックの送信電力を制御する。
【００８０】
一方、無線基地局１Ａにおける無線通信の負荷値が所定値以下である場合、ステップＳ２０３において、無線基地局１Ａは、割り当てＲＢ情報と、測定した干渉電力値とに基づいて、無線基地局１Ａが無線端末２Ｂから無線基地局１Ｂへ第２上りリンクを用いて送信される無線信号によって受ける干渉の時間方向の周期性を分析する。
【００８１】
ステップＳ２０４において、無線基地局１Ａは、干渉の周期性の分析結果に基づいて、時間方向において周期的に発生する所定値以上の電力の干渉以外の干渉を示すＯＩを生成する。
【００８２】
ステップＳ２０５において、無線基地局１Ａは、ＯＩを送信する。無線基地局１Ｂは、ＯＩを受信する。
【００８３】
ステップＳ２０６において、無線基地局１Ｂは、ＯＩに基づいて、無線端末２Ｂに割り当てている上り方向のリソースブロックに対応する送信電力を制御する。
【００８４】
図７は、無線通信システム１０の第４の動作を示すフローチャートである。図７に示す動作は、上述した第２の処理及び第４の処理が行われる場合に対応する。
【００８５】
ステップＳ２５０乃至ステップＳ２５３の動作は、図６のステップＳ２０１乃至ステップＳ２０３の動作と同様であるので、説明は省略する。
【００８６】
ステップＳ２５４において、無線基地局１Ａは、上り方向のリソースブロック毎に、ＯＩを生成する。
【００８７】
ステップＳ２５５において、無線基地局１Ａは、全てのＯＩが「０」であるか否かを判定する。全てのＯＩが「０」である場合には、一連の動作が終了する。
【００８８】
一方、「０」以外のＯＩが存在する場合には、ステップＳ２５６及びステップＳ２５７の動作が行われる。ステップＳ２５６及びステップＳ２５７の動作については、図６のステップＳ２０５及びステップＳ２０６の動作と同様であるので、説明は省略する。
【００８９】
（３）作用・効果
本実施形態における無線通信システム１０では、無線基地局１Ａは、当該無線基地局１Ａが無線端末２Ｂから無線基地局１Ｂへ第２上りリンクを用いて送信される無線信号によって受ける干渉の電力を測定する。あるいは、無線基地局１Ａは、無線基地局１Ｂが無線端末２Ｂに割り当てた上り方向のリソースブロックを示す割り当てＲＢ情報を受信する。
【００９０】
その後、無線基地局１Ａは、測定した干渉電力の値又は割り当てＲＢ情報に基づいて、当該無線基地局１Ａが無線端末２Ｂから無線基地局１Ｂへ第２上りリンクを用いて送信される無線信号によって受ける干渉の周期性を分析する。
【００９１】
更に、無線基地局１Ａは、周期性の分析結果に基づいて、時間方向において周期的に発生する所定値以上の電力の干渉以外の干渉が存在することを示すＯＩを生成し、無線基地局１Ｂへ送信する。但し、無線基地局１Ａは、全てのＯＩが「０」である場合には、当該ＯＩを送信しないようにする。
【００９２】
無線基地局１Ａにおいて周期的に所定値以上の電力の干渉が生じる上り方向のリソースブロックは、無線基地局１Ｂが無線端末２Ｂに対して周期的に割り当てている上り方向のリソースブロックである。無線基地局１Ａは、このような無線基地局１Ｂが周期的に割り当てている上り方向のリソースブロックについては、干渉が発生するタイミングのサブフレームを予測可能であり、周期的に所定値以上の電力の干渉が生じるタイミングのサブフレームにおいて、無線端末２Ａに割り当てないようにすれば、干渉を回避できる。
【００９３】
このため、無線基地局１Ａは、周期的に所定値以上の電力の干渉が生じると判断した上り方向のリソースブロックについては、周期的に所定値以上の電力の干渉が生じるタイミングのサブフレームのＯＩを、干渉が大きいことを示す「１」や、干渉が非常に大きいことを示す「２」とせずに、干渉が小さいことを示す「０」とする。あるいは、無線基地局１Ａは、各上り方向のリソースブロック毎に、複数のサブフレーム単位で干渉電力の平均値を算出する際に、周期的な所定値以上の干渉電力が発生したサブフレームについては、干渉電力を平均値の算出に用いないようにし、更に、複数のサブフレーム単位に対応するＯＩを、干渉電力の平均値に応じた値に設定する。このため、ＯＩを受信した無線基地局１Ｂは、無線基地局１Ａが干渉の発生を予測不能な上り方向のリソースブロックについてのみ、干渉低減のための送信電力の低下の制御を行うことになる。従って、無線通信システム１０の全体の通信容量の低下を防止できる。
【００９４】
また、本実施形態では、無線基地局１Ａは、当該無線基地局１Ａにおける無線通信の負荷値（トラフィック量比率）が所定値以下である場合に、周期的に所定値以上の電力の干渉が生じるタイミングのサブフレームのＯＩを、干渉が小さいことを示す「０」とする。あるいは、無線基地局１Ａは、各上り方向のリソースブロック毎に、複数のサブフレーム単位で干渉電力の平均値を算出する際に、周期的な所定値以上の干渉電力が発生したサブフレームについては、干渉電力を平均値の算出に用いないようにし、更に、複数のサブフレーム単位に対応するＯＩを、干渉電力の平均値に応じた値に設定する。
【００９５】
無線基地局１Ａにおける無線通信の負荷値が所定値を超える場合には、無線基地局１Ａが無線端末２Ｂに割り当て可能な上り方向のリソースブロックの数は多い方が望ましく、一方、無線基地局１Ａにおける無線通信の負荷値が所定値以下である場合には、無線基地局１Ａが無線端末２Ｂに割り当て可能な上り方向のリソースブロックの数は少なくても支障はない。このため、無線基地局１Ａにおける無線通信の負荷値が所定値以下の場合にのみ、換言すれば、無線基地局１Ａが無線端末２Ａに対して割り当て可能な上り方向のリソースブロックの数が少なくてもよい場合にのみ、無線基地局１Ａが、周期的に所定値以上の電力の干渉が生じるタイミングのサブフレームのＯＩを、干渉が小さいことを示す「０」とすること、あるいは、周期的に所定値以上の電力の干渉が生じるタイミングのサブフレームの当該干渉電力を平均値の算出に用いずに、干渉電力の平均値を算出して、当該平均値に応じたＯＩを設定することにより、無線基地局１Ａは、割り当て可能な上りリソースブロックを適切な数だけ確保できる。
【００９６】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９７】
上述した実施形態では、無線基地局１Ａは、無線基地局１Ｂに対して、時間方向において周期的に発生する所定値以上の電力の干渉以外の干渉が存在することを示す干渉情報であるＯＩを送信した。しかし、無線基地局１Ａは、無線基地局１Ｂに対して、ＯＩ以外の干渉情報を送信するようにしてもよい。また、無線基地局１Ａは、干渉電力の大きさを考慮せず、無線基地局１Ｂに対して、時間方向において周期的に発生する干渉以外の干渉が存在することを示す干渉情報であるＯＩを送信してもよい。
【００９８】
上述した実施形態では、無線基地局１Ａは、当該無線基地局１Ａにおける無線通信の負荷の値として、無線基地局１Ａにおける処理可能な最大のトラフィック量に対する、実際のトラフィック量の比率（トラフィック量比率）を算出した。しかし、無線基地局１Ａは、無線基地局１Ａにおけるリソースブロックの使用率、無線基地局１Ａにおけるトラフィック量そのもの、無線基地局１Ａにおける無線通信に伴う処理の負荷の値等を、無線基地局１Ａにおける無線通信の負荷の値として用いてもよい。
【００９９】
また、無線基地局１Ｂがセミパーシステントスケジューリングを採用せず、ダイナミックなスケジューリングにより無線端末２Ｂに上り方向のリソースブロックを割り当てる場合には、無線基地局１Ｂの制御部１１２内の送信処理部１６０は、割り当ての都度、割り当てた上り方向のリソースブロックの識別情報を含んだ割り当てＲＢ情報を、無線基地局１Ａに送信してもよい。
【０１００】
この場合、無線基地局１Ａの制御部１０２内の干渉情報生成部１５４は、無線基地局１Ｂからの割り当てＲＢ情報の受信タイミングに基づいて、対応する上り方向のリソースブロックの割り当ての時間遷移を認識する。
【０１０１】
また、上述した実施形態では、無線通信システム１０は、LTE Release 9やLTE-Advancedに基づく構成であったが、他の通信規格に基づく構成であってもよい。
【０１０２】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１０３】
１Ａ、１Ｂ…無線基地局、２Ａ−１、２Ａ−２、２Ａ−３、２Ｂ−１、２Ｂ−２、２Ｂ−３…無線端末、３Ａ、３Ｂ…セル、１０２、１１２…制御部、１０３、１１３…記憶部、１０４、１１４…有線通信部、１０５、１１５…無線通信部、１０７、１１７…アンテナ、１５０…干渉電力測定部、１５２…通信負荷測定部、１５４…干渉情報生成部、１５６、１６０…送信処理部、１６２…受信処理部、１６４…無線端末送信電力制御部
【図１】
2012231267.tif 000003
【図２】
2012231267.tif 000004
【図３】
2012231267.tif 000005
【図４】
2012231267.tif 000006
【図５】
2012231267.tif 000007
【図６】
2012231267.tif 000008
【図７】
2012231267.tif 000009